(57)【要約】  電子書籍を含む電子コンテンツ類の、より好適な表示を実現する情報表示端末を提供すること。  電子コンテンツを表示可能な情報表示端末であって、前記電子コンテンツを表示する表示部と、前記情報表示端末に対する操作指示を入力する操作部と、前記表示部に表示された電子コンテンツの自動スクロール処理の動作を制御するスクロール制御部と、を備え、前記スクロール制御部は、前記操作部に前記自動スクロール処理の開始を指示する操作指示が入力された場合には前記表示部に表示された電子コンテンツを所定時間毎に所定移動量ずつ移動させて表示させる自動スクロール処理を開始するように制御を行い、前記操作部に前記自動スクロール処理の停止を指示する操作指示が入力された場合には前記自動スクロール処理を停止するように制御を行うことを特徴とする情報表示端末、を用いる。
2014203301.tif 000002
【特許請求の範囲】
【請求項１】
電子書籍を表示可能な情報表示端末であって、
前記電子書籍のページ画像を表示する表示部と、
前記情報表示端末に対する操作指示を入力する操作部と、
前記操作部に入力された操作指示に応じて、スクロール処理を実行する前に前記表示部に表示されていた前記電子書籍のページ画像とは異なるページのページ画像の一部を、前記スクロール処理を実行した後に前記表示部に表示するようにスクロール処理の制御をおこなうページ間スクロール処理部と、
を備えることを特徴とする情報表示端末。
【請求項２】
前記操作部は、前記表示部に重ねて配置されたタッチパネルであって、
前記ページ間スクロール処理部は、前記タッチパネルに対するスワイプ操作によって前記スクロール処理の制御を実行すること
を特徴とする請求項1に記載の情報表示端末。
【請求項３】
前記情報表示端末は、前記表示部に表示された電子書籍の文章表示書式が縦書きと、横書きと、の何れであるかを確認する表示書式確認部を備え、
前記ページ間スクロール処理部は、前記表示書式確認部の確認結果に応じて、スクロール方向を変えることを特徴とする請求項１または請求項２に記載の情報表示端末。
【請求項４】
前記情報表示端末は、
ページ境目の行間の行間距離がページ内における行間の行間距離と略同等となるように、前記電子書籍のページ画像の余白領域を削除する周辺余白削除部を備え、
前記表示部で表示する電子書籍のページ画像は前記周辺余白削除部で余白領域を削除されたページ画像であることを特徴とする請求項１乃至請求項３の何れか一項に記載の情報表示端末。
【請求項５】
電子コンテンツを表示可能な情報表示端末であって、
前記電子コンテンツのページ画像を表示する表示部と、
前記情報表示端末に対する操作指示を入力する操作部と、
前記操作部に入力された操作指示に応じて、所定時間ごとに所定移動量をスクロール処理する自動スクロール処理部と、
を備えることを特徴とする情報表示端末。
【請求項６】
前記情報表示端末は、
前記表示部に表示された電子コンテンツの文章表示書式が縦書きと、横書きと、の何れであるかを確認する表示書式確認部を備え、
前記自動スクロール処理部は、前記表示書式確認部の確認結果に応じて、スクロール方向を変えることを特徴とする請求項５に記載の情報表示端末。
【請求項７】
前記情報表示端末は、
前記情報表示端末の使用者の顔画像を入力する画像入力部と、
前記画像入力部が入力した前記情報表示端末の使用者の顔画像を解析することにより前記使用者の視線の動きを検知する視線検知部と、
を備え、
前記自動スクロール処理部は、前記視線検知部で検知した前記情報表示端末の使用者の視線の動きに応じて、前記スクロール処理を行う際の前記所定時間及び／または前記所定移動量を制御することを特徴とする請求項５または請求項６に記載の情報表示端末。
【請求項８】
前記自動スクロール処理部は、
前記視線検知部で検知した前記情報表示端末の使用者の視線の動きに応じて前記スクロール処理を行う際に、前記視線検知部で検知した前記情報表示端末の使用者の視線の上下動若しくは左右動の一往復分に要する時間と前記表示部に表示されている電子コンテンツにおける一行分の移動量のスクロールに要する時間とが略同等になるように、前記所定時間及び／または前記所定移動量を制御することを特徴とする請求項７に記載の情報表示端末。
【請求項９】
前記自動スクロール処理部は、
前記視線検知部で検知した前記情報表示端末の使用者の視線の動きに応じて前記自動スクロール処理を実行中に、前記視線検知部が、前記情報表示端末の使用者の視線が前記表示部上から外れたと判断した場合には、前記自動スクロール処理を停止することを特徴とする請求項７または請求項８に記載の情報表示端末。
【請求項１０】
前記自動スクロール処理部は、
前記視線検知部における検知結果に応じて、前記情報表示端末の使用者が注視していると推測される部分の文字を強調表示することを特徴とする請求項７乃至請求項９の何れか一項に記載の情報表示端末。
【請求項１１】
前記所定移動量は、
前記表示部を構成する表示デバイスにおける画素間距離と同等またはその整数倍、或いは、前記表示部に表示された電子コンテンツにおける行間距離と同等またはその整数倍またはその整数分の一、である事を特徴とする請求項５乃至請求項８の何れか一項に記載の情報表示端末。
【請求項１２】
前記所定時間は、
前記表示部に表示された電子コンテンツの文字の量に応じて変化することを特徴とする請求項５乃至請求項８の何れか一項に記載の情報表示端末。
【請求項１３】
前記電子コンテンツは、
複数のページに分割されて構成されていることを特徴とする請求項５乃至１２の何れか一項に記載の情報表示端末。
【請求項１４】
前記情報表示端末は、
電子コンテンツが複数のページに分割されて構成されている場合に、前記表示部に電子コンテンツの連続する複数のページのページ画像を表示させた際に、ページ境目の行間の行間距離がページ内における行間の行間距離と略同等となるように、前記電子コンテンツのページ画像の周辺部の余白領域を削除する周辺余白削除部を備え、
前記表示部で表示する電子コンテンツのページ画像は前記周辺余白削除部で周辺部の余白領域を削除されたページ画像である事を特徴とする請求項１３に記載の情報表示端末。
【請求項１５】
前記電子コンテンツは、
電子書籍であることを特徴とする請求項５乃至請求項１４の何れか一項に記載の情報表示端末。
【発明の詳細な説明】
【技術分野】
【０００１】
本発明は、電子書籍等の電子コンテンツ類の表示が可能な情報表示端末に関する。
【背景技術】
【０００２】
近年、所謂電子書籍の流通が増加傾向であり、伴い電子書籍を表示可能な専用／汎用の情報表示端末が多数市販されるようになった。前記情報表示端末で電子書籍を表示する際には、予め定められたページ単位での文章表示を行い、印刷された書籍におけるページを捲る所作の代替として、所定の操作キーやタッチパネルへの操作指示によりページ送り／戻しを行う機能を用いることが一般的である。更には、前記ページ送りを自動的に行い、ページ送りが行われるタイミングを報知する、下記特許文献１に示すような技術も提案されている。【０００３】
下記特許文献１の技術は、『標準ページ送り時間を取得する標準ページ送り時間取得手段と、時間をカウントするカウンタと、ページ送りのタイミングを遅らせるための入力を行う入力手段と、ページ送りの制御を行うページ送り手段と、を備え、前記ページ送り手段は、前記標準ページ送り時間取得手段の出力と、前記カウンタの出力と、前記入力手段の出力に応じてページ送りのタイミングを制御する』ものであり、更に、『標準ページ送り時間を取得する標準ページ送り時間取得手段と、時間をカウントするカウンタと、ページ送りの制御を行うページ送り手段と、前記ページ送り手段でページ送りが開始されるまでの時間の進捗状況を報知する進捗状況報知手段と、を備える』ものである。前記技術を適用することにより、『自動ページ送り機能やスライドショー機能を搭載した電子書籍表示装置において、進捗状況が表示されるのでページ送りのタイミングが分かりやすくなり、操作部の出力に応答してページ送りのタイミングを容易に延長することができる』と記載されている。
【先行技術文献】
【特許文献】
【０００４】
【特許文献１】特開２００８−２０６７４公報
【発明の概要】
【発明が解決しようとする課題】
【０００５】
前述のように電子書籍をページ単位で表示する情報表示端末においては、印刷された書籍と同様の表示レイアウトを視認可能であり、各ページを手で捲って読み進めていく雰囲気を享受可能である、等の利点がある。一方、前記情報表示端末では、ページの変わり目付近において、注視する文章の前後を一括して視認することが難しい、等の課題も存在する。なお、前記課題は、前記特許文献１に記載の技術によっても解決され得ない。【０００６】
本発明の目的は、前記利点及び課題を考慮し、電子書籍を含む電子コンテンツ類の、より好適な表示を実現する情報表示端末を提供することである。
【課題を解決するための手段】
【０００７】
前記課題を解決するための手段として、特許請求の範囲に記載の技術を用いる。【０００８】
一例を挙げるならば、電子書籍を表示可能な情報表示端末であって、前記電子書籍のページ画像を表示する表示部と、前記情報端末に対する操作指示を入力する操作部と、前記操作部に入力された操作指示に応じて、スクロール処理を実行する前に前記表示部に表示されていた前記電子書籍のページ画像とは異なるページのページ画像の一部を、前記スクロール処理を実行した後に前記表示部に表示するようにスクロール処理の制御をおこなうページ間スクロール処理部と、を備えることを特徴とする情報表示端末である。
【発明の効果】
【０００９】
本発明の技術を用いることにより、電子書籍を含む電子コンテンツ類の、より好適な表示を実現する情報表示端末を提供することができる。
【図面の簡単な説明】
【００１０】
【図１（Ａ）】実施例に係る情報表示端末のブロック図である。
【図１（Ｂ）】実施例に係る情報表示端末のソフトウェア構成図である。
【図２】実施例に係る情報表示端末を含む通信システムの構成図である。
【図３】実施例に係る情報表示端末の外観図である。
【図４（Ａ）】実施例に係る情報表示端末の動作を説明するフローチャートである。
【図４（Ｂ）】実施例に係る情報表示端末の動作を説明するフローチャートである。
【図４（Ｃ）】実施例に係る情報表示端末の動作を説明するフローチャートである。
【図５】実施例に係る表示書式確認処理を説明する概念図である。
【図６】実施例に係るスワイプ操作によるページ間スクロール処理を説明する概念図である。
【図７】実施例に係る余白削除処理を説明する概念図である。
【図８】実施例に係る余白削除処理の効果を説明する画面表示図である。
【図９】実施例に係る自動スクロール処理のスクロール方向を説明する概念図である。
【図１０】実施例に係る自動スクロール処理の際の移動量を説明する概念図である。
【図１１】実施例に係る使用者の視線の動きに応じた自動スクロール処理を説明する概念図である。
【図１２】実施例に係る書籍を読む際の読者の視線の動きを説明する概念図である。
【図１３】実施例に係る読者の視線の動きに応じた自動スクロール処理の際の読者の視線の動きを説明する概念図である。
【図１４】実施例に係る注視位置の強調表示を説明する画面表示図である。
【発明を実施するための形態】
【００１１】
以下、本発明の実施形態の例を、図面を用いて説明する。
【実施例１】
【００１２】
図１（Ａ）は、本実施例の情報表示端末のブロック図である。情報表示端末１００は、主制御部１０１、システムバス１０２、ＲＯＭ１０３、ＲＡＭ１０４、ストレージ部１１０、画像処理部１２０、音声処理部１２５、操作部１３０、電子書籍表示部１４０、視線検知部１４５、スクロール制御部１５０、通信処理部１６０、センサ部１７０、拡張インタフェース部１８０、で構成される。【００１３】
図１（Ｂ）は、本実施例の情報表示端末１００のソフトウェア構成図であり、ＲＯＭ１０３、ＲＡＭ１０４、及びストレージ部１１０におけるソフトウェア構成を示す。詳細は後述する。【００１４】
図２は、本実施例の情報表示端末１００を含む通信システムの構成図である。前記通信システムは、情報表示端末１００と、インターネット等の広域公衆ネットワーク２０１及びその無線通信用アクセスポイント２０２、移動体電話通信網の基地局２０３、アプリケーションサーバ２１１、電子書籍データサーバ２１２、移動体電話通信サーバ２１３、で構成される。【００１５】
情報表示端末１００は、電子書籍リーダの他、携帯電話やスマートホン、タブレット端末等であっても良い。また、ＰＤＡ（Ｐｅｒｓｏｎａｌ  Ｄｉｇｉｔａｌ  Ａｓｓｉｓｔａｎｔｓ）やノート型ＰＣ（Ｐｅｒｓｏｎａｌ  Ｃｏｍｐｕｔｅｒ）であっても良い。通信機能及び電子書籍表示機能を備えたテレビ装置や携帯型ゲーム機等、またはその他の携帯用デジタル機器であっても良い。【００１６】
主制御部１０１は、所定のプログラムに従って情報表示端末１００全体を制御するマイクロプロセッサユニットである。システムバス１０２は主制御部１０１と情報表示端末１００内の各部との間でデータ送受信を行うためのデータ通信路である。【００１７】
ＲＯＭ（Ｒｅａｄ  Ｏｎｌｙ  Ｍｅｍｏｒｙ）１０３は、オペレーティングシステムや所定のアプリケーションソフトウェアなど、情報表示端末１００の基本動作プログラムやその他のプログラムが格納されたメモリであり、例えばＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）やフラッシュＲＯＭのような書き換え可能なＲＯＭが用いられる。ＲＯＭ１０３に格納されたプログラムを更新することにより、基本動作プログラムのバージョンアップや機能拡張が可能であるものとする。なお、ＲＯＭ１０３は、図１に示したような独立構成とはせず、ストレージ部１１０内の一部記憶領域を使用しても良い。ＲＡＭ（Ｒａｎｄｏｍ  Ａｃｃｅｓｓ  Ｍｅｍｏｒｙ）１０４は基本動作プログラムやその他のプログラム実行時のワークエリアとなる。具体的には、例えばＲＯＭ１０３に格納された基本動作プログラム１０３ａはＲＡＭ１０４に展開され、更に主制御部１０１が前記展開された基本動作プログラムを実行することにより、基本動作実行部１０４ａを構成する。また、ＲＡＭ１０４は、各種プログラム実行時に、必要に応じてデータを一時的に保持する一時記憶部を備える。ＲＯＭ１０３及びＲＡＭ１０４は主制御部１０１と一体構成であっても良い。【００１８】
ストレージ部１１０は、情報表示端末１００の各動作設定値や情報表示端末１００の使用者の情報等を記憶する。また、情報表示端末１００は、アプリケーションサーバ２１１から、インターネット２０１及び無線通信用アクセスポイント２０２若しくは移動体電話通信網の基地局２０３を介して、新規アプリケーションソフトウェアをダウンロードすることにより、機能拡張が可能であるものとする。この際、ダウンロードした前記新規アプリケーションソフトウェアは、ストレージ部１１０に記憶される。ストレージ部１１０に記憶された前記新規アプリケーションソフトウェアがＲＡＭ１０４上に展開されて実行されることにより、情報表示端末１００は多種の新規機能を実現可能であるものとする。更に、ストレージ部１１０は、電子書籍データサーバ２１２からダウンロードした電子書籍類のデータの記憶も可能であるものとする。【００１９】
ストレージ部１１０の一部領域を以ってＲＯＭ１０３の機能の全部または一部を代替しても良い。また、ストレージ部１１０は、情報表示端末１００に電源が供給されていない状態であっても記憶している情報を保持する必要がある。したがって、例えばフラッシュＲＯＭやＳＳＤ（Ｓｏｌｉｄ  Ｓｔａｔｅ  Ｄｒｉｖｅ）、ＨＤＤ（Ｈａｒｄ  Ｄｉｓｃ  Ｄｒｉｖｅ）等のデバイスが用いられる。【００２０】
画像処理部１２０は、表示部１２１、画像信号処理部１２２、画像入力部１２３、で構成される。表示部１２１は、例えば液晶パネル等の表示デバイスであり、画像信号処理部１２２で処理した画像信号を情報表示端末１００の使用者に提供する。画像信号処理部１２２は図示を省略したビデオＲＡＭを備え、前記ビデオＲＡＭに入力された画像データに基づき表示部１２１を駆動する。また、画像信号処理部１２２は、必要に応じてフォーマット変換、メニューやその他のＯＳＤ（Ｏｎ  Ｓｃｒｅｅｎ  Ｄｉｓｐｌａｙ）信号の重畳処理等を行う機能を有するものとする。画像入力部１２３は、レンズから入力した光を電気信号に変換することにより周囲や対象物の画像データを入力するカメラである。【００２１】
音声処理部１２５は、音声出力部１２６、音声信号処理部１２７、音声入力部１２８、で構成される。音声出力部１２６はスピーカであり、音声信号処理部１２７で処理した音声信号を情報表示端末１００の使用者に提供する。音声入力部１２８はマイクであり、使用者の声などを音声データに変換して入力する。【００２２】
操作部１３０は、情報表示端末１００に対する操作指示の入力を行う指示入力部であり、本実施例では、表示部１２１に重ねて配置したタッチパネル１３０ｔ及びボタンスイッチを並べた操作キー１３０ｋで構成されるものとする。何れか一方のみであっても良い。後述の拡張インタフェース部１８０に接続したキーボード等を用いて情報表示端末１００の操作を行っても良い。また、前記タッチパネル機能は表示部１２１が備え持っているものであっても良い。【００２３】
図３に本実施例の情報表示端末１００の外観図を示す。なお、本実施例の情報表示端末１００は専ら電子書籍類の表示に用いられる電子書籍リーダであるものとし、操作キー１３０ｋとして、電源キー１３０ｋ１及びスクロールキー１３０ｋ２、加速キー１３０ｋ３、減速キー１３０ｋ４、ページ送りキー１３０ｋ５、ページ戻しキー１３０ｋ６、を備えるものとする。【００２４】
電源キー１３０ｋ１は、長押しすることにより情報表示端末１００の主電源のオン／オフを、短押しすることにより情報表示端末１００のスリープモードの設定／解除を制御する。スクロールキー１３０ｋ２は、長押しすることによりメインメニューの表示を行い、短押しすることにより表示部１２１に表示されている画像の自動スクロール処理の開始／停止を制御する。加速キー１３０ｋ３及び減速キー１３０ｋ４は、自動スクロール処理実行中に押下することによりスクロール速度の調整を行う。ページ送りキー１３０ｋ５及びページ戻しキー１３０ｋ６は、自動スクロール処理停止中に押下することにより、表示部１２１に表示されている電子書籍類の画像のページ単位の制御を行う。【００２５】
なお、前記『長押し』とは、本実施例においては、目的の操作キーを押下して保持し、所定期間以上経過後に前記操作キーを解放する所作を示す。一方、前記『短押し』とは、目的の操作キーを押下した後すぐに前記操作キーを解放する所作を示す。また、『長押し』と『短押し』を区別しない場合には『押下』と記載する。【００２６】
また、前記各操作キー１３０ｋ２〜１３０ｋ６の機能をタッチパネル１３０ｔの所定の領域へのタップ操作で実現しても良い。例えば、電子書籍類の表示中、図３のタッチ領域１３０ｔ１へのタップ操作によりメインメニューの表示を行う。タッチ領域１３０ｔ２へのタップ操作により表示部１２１に表示されている画像の自動スクロール処理の開始／停止を制御する。自動スクロール処理実行中にタッチ領域１３０ｔ３若しくはタッチ領域１３０ｔ４へタップ操作を行うことにより、スクロール速度の調整を行う。自動スクロール処理停止中にタッチ領域１３０ｔ５若しくはタッチ領域１３０ｔ６へタップ操作を行うことにより、表示部１２１に表示されている電子書籍類の画像のページ単位の制御を行う。【００２７】
なお、情報表示端末１００がスマートホンやタブレット端末等の汎用機器である場合、前記各操作キー１３０ｋ２〜１３０ｋ６を備えず、電子書籍類表示中の操作をタッチパネル１３０ｔへのタッチ操作のみで行うようにしても良い。また、電子書籍類の表示を行っていない場合には、操作部１３０の各操作キー及びタッチ領域に異なる機能が割り当てられても良い。【００２８】
図１に示したブロック図において、電子書籍表示部１４０は、情報表示端末１００で電子書籍等の電子コンテンツ類の表示を行う際に、他の構成と連携して前記電子コンテンツ類の表示制御を行う。なお、電子書籍表示部１４０による制御に代替して、ＲＯＭ１０３若しくはストレージ部１１０に格納された電子書籍表示プログラム１０３ｂ若しくは１１０ｂをＲＡＭ１０４に展開し、前記展開された電子書籍表示プログラムを主制御部１０１が実行することにより構成された電子書籍表示実行部１０４ｂが制御を行っても良い。【００２９】
視線検知部１４５は、画像入力部１２３が入力した情報表示端末１００の使用者の顔画像を解析することにより、前記使用者の視線の動きを検知する。なお、前記視線の動きを検知する方法は公知の技術を用いれば良く、本実施例では詳細な説明を省略する。また、視線検知部１４５による制御に代替して、ＲＯＭ１０３若しくはストレージ部１１０に格納された視線検知プログラム１０３ｃ若しくは１１０ｃをＲＡＭ１０４に展開し、前記展開された視線検知プログラムを主制御部１０１が実行することにより構成された視線検知実行部１０４ｃが制御を行っても良い。【００３０】
スクロール制御部１５０は、操作部１３０に入力された操作指示若しくは視線検知部１４５が検知した情報表示端末１００の使用者の視線の動き等に応じて、表示部１２１に表示される電子書籍類の画像の、特にスクロール処理時の動作の制御を行う。なお、スクロール制御部１５０による制御に代替して、ＲＯＭ１０３若しくはストレージ部１１０に格納されたスクロール制御プログラム１０３ｄ若しくは１１０ｄをＲＡＭ１０４に展開し、前記展開されたスクロール制御プログラムを主制御部１０１が実行することにより構成されたスクロール制御実行部１０４ｄが制御を行っても良い。なお、後述の図６で説明するページ間スクロール処理に関しては、スクロール制御実行部１０４ｄが内包するページ間スクロール処理部、若しくは、スクロール制御部１５０が内包するページ間スクロール制御部（図示省略）が、特に制御を行うものとする。【００３１】
通信処理部１６０は、ＬＡＮ通信部１６１、移動体電話網通信部１６２、近接無線通信部１６３、で構成される。ＬＡＮ通信部１６１はインターネット２０１の無線通信用アクセスポイント２０２と無線通信により接続してデータの送受を行う。移動体電話網通信部１６２は移動体電話通信網の基地局２０３との無線通信により、電話通信（通話）及びデータの送受信を行う。近接無線通信部１６３は対応するリーダ／ライタとの近接時に無線通信を行う。ＬＡＮ通信部１６１、移動体電話網通信部１６２、近接無線通信部１６３は、それぞれ符号回路や復号回路、アンテナ等を備えるものとする。【００３２】
センサ部１７０は、情報表示端末１００の状態を検出するためのセンサ群であり、本実施例では、ＧＰＳ（Ｇｌｏｂａｌ  Ｐｏｓｉｔｉｏｎｉｎｇ  Ｓｙｓｔｅｍ）受信部１７１、加速度センサ１７２、ジャイロセンサ１７３、地磁気センサ１７４、照度センサ１７５、近接センサ１７６、で構成される。これらのセンサ群により、情報表示端末１００の位置、動き、傾き、方角、及び周囲の明るさ、周囲物の近接状況、等を検出することが可能となる。その他のセンサを更に備えていても良い。【００３３】
拡張インタフェース部１８０は、情報表示端末１００の機能を拡張するためのインタフェース群であり、本実施例では、映像／音声インタフェース、ＵＳＢ（Ｕｎｉｖｅｒｓａｌ  Ｓｅｒｉａｌ  Ｂｕｓ）インタフェース、メモリインタフェース等で構成されるものとする。映像／音声インタフェースは、外部映像／音声出力機器からの映像信号／音声信号の入力、外部映像／音声入力機器への映像信号／音声信号の出力を行う。ＵＳＢインタフェースはキーボードやその他のＵＳＢ機器の接続等を行う。メモリインタフェースはメモリカードを接続してデータの送受信を行う。【００３４】
なお、図１に示した情報表示端末１００の構成例は、音声処理部１２５やセンサ部１７０等、本実施例に必須ではない構成も多数含んでいるが、これらが備えられていない構成であっても本実施例の効果を損なうことはない。また、デジタルテレビ放送受信機能や電子マネー決済機能等、図示していない構成が更に加えられていても良い。【００３５】
以下では、本実施例の情報表示端末１００における電子書籍類の表示の際の動作に関して、図４のフローチャートを用いて説明する。【００３６】
情報表示端末１００を用いて電子書籍類の閲覧を行う場合、情報表示端末１００の使用者は、電源キー１３０ｋ１を押下することにより、情報表示端末１００を起動させる。本実施例においては、電源キー１３０ｋ１は、長押しにより主電源のオン／オフを、短押しによりスリープモードの設定／解除を行う機能を有している。このため、主制御部１０１（若しくは、基本動作実行部１０４ａ、以下、同様）は、先ず、前記電源キー１３０ｋ１の押下処理が、長押しによるものか或いは短押しによるものかの確認を行う（Ｓ１０１）。【００３７】
Ｓ１０１において、前記電源キー１３０ｋ１の押下処理が長押しによるものである事が確認された場合、主制御部１０１は情報表示端末１００全体の設定の初期化を行う（Ｓ１０２）。次に、電子書籍表示部１４０（若しくは、電子書籍表示実行部１０４ｂ、以下、同様）が電子書籍選択メニューを表示部１２１に表示するように画像信号処理部１２２を制御する（Ｓ１０３）。【００３８】
前記電子書籍選択メニューは情報表示端末１００で表示する電子書籍類の選択を行うためのメニュー表示である。情報表示端末１００の使用者は、前記電子書籍選択メニューを用いて、ストレージ部１１０に記憶されている電子書籍類及び／または電子書籍データサーバ２１２に記憶されている電子書籍類の一覧から所望の電子書籍類を選択することが可能となる。【００３９】
情報表示端末１００の使用者が、前記電子書籍選択メニューを用いて所望の電子書籍類を選択すると、次に、スクロール制御部１５０（若しくは、スクロール制御実行部１０４ｄ、以下、同様）が、前記選択された電子書籍類のデータを参照し、前記電子書籍類の表示書式確認処理を行う（Ｓ１０４）。更に、電子書籍表示部１４０が、画像信号処理部１２２を制御することにより、前記選択された電子書籍類の先頭ページのページ画像を表示部１２１に表示させる（Ｓ１０５）。【００４０】
一方、Ｓ１０１において、前記電源キー１３０ｋ１の押下処理が短押しによるものである事が確認された場合、主制御部１０１は情報表示端末１００のスリープモードの解除を行う。更に、電子書籍表示部１４０が、ストレージ部１１０等に退避させておいた前回動作時の設定（選択中の電子書籍類の名称、表示中のページ、等）の呼び戻しも行う（Ｓ１０６）。前記前回動作時の設定がＲＡＭ１０４上の一時記憶部にそのまま残っている場合には、Ｓ１０６の処理は省略しても良い。更に、電子書籍表示部１４０が、画像信号処理部１２２を制御することにより、前記呼び戻した設定に記憶されていた電子書籍類の所定のページ（前回動作時に選択されていたページ）のページ画像を表示部１２１に表示させる（Ｓ１０７）。【００４１】
Ｓ１０４で行う表示書式確認処理は、電子書籍類のページレイアウトにおける文章表示書式が縦書きと横書きの何れであるかを確認する処理である。本実施例の情報表示端末１００においては、図５に例を示すように、まず、電子書籍類のページ単位の画像データを読み込み、次に、前記読み込んだ画像データから文字領域を検出し、更に、前記検出した文字領域が縦格子状であるか或いは横格子状であるかを確認することにより、前記電子書籍類の文章表示書式が縦書きか横書きかを判別する。文字領域を検出する替わりに、行間を含む余白領域を検出し、前記検出した余白領域が縦格子状であるか或いは横格子状であるかを確認するようにしても良い。【００４２】
なお、表紙や挿絵のみがレイアウトされたページ等、一部のページにおいては、前記表示書式確認処理を正しく行うことができない可能性がある。このため、前記表示書式確認処理を行う際には、先頭ページと最終ページを除く複数のページの画像データを読み込み、前記読み込んだ複数の画像データに対して前記表示書式確認処理を行うようにすると良い。例えば、総ページ数１００ページの電子書籍類の場合、１０ページ目、３０ページ目、５０ページ目、７０ページ目、９０ページ目の各画像データに対して前記表示書式確認処理を行う。縦書きか横書きかの判別結果が各ページで異なる場合には多数決を取れば良い。【００４３】
また、例えば、情報表示端末１００が縦書きの文章表示書式を行わない言語の電子書籍類のみを表示するように設定されている場合等では、Ｓ１０４の表示書式確認処理を行わなくとも良い。【００４４】
図４に示したフローチャートにおいて、Ｓ１０５若しくはＳ１０７の処理で電子書籍類の所定のページのページ画像を表示した状態で、電子書籍表示部１４０は操作部１３０への操作指示の入力を待ち受ける。以下、前記状態を『操作待ち受け状態』と称する。前記操作待ち受け状態においては、電子書籍表示部１４０は、主として、スクロールキー１３０ｋ２への押下の有無の確認（Ｓ１１１）、及びページ送りキー１３０ｋ５とページ戻しキー１３０ｋ６への押下の有無の確認（Ｓ１２１）を行う。操作部１３０の他の構成（タッチパネル１３０ｔ等）への操作指示の入力の確認も行って良いが、ここでは説明を省略する。【００４５】
Ｓ１１１において、スクロールキー１３０ｋ２への長押しが確認された場合、電子書籍表示部１４０はメインメニューを表示部１２１に表示するように画像信号処理部１２２を制御する（Ｓ１１２）。更に、電子書籍表示部１４０は、前記メインメニュー表示において何れの項目が選択されるかを確認する（Ｓ１１３）。前記メインメニュー表示において『電子書籍選択メニュー』項目が選択された場合、電子書籍表示部１４０は前記メインメニュー表示を消去して、（Ｓ１０３に遷移して）電子書籍選択メニューを表示する。また、前記メインメニュー表示において『戻る』項目が選択された場合、電子書籍表示部１４０は前記メインメニュー表示を消去して、操作待ち受け状態に移行する。なお、前記メインメニュー表示において、その他の項目が選択された場合には、選択された項目の機能を実施した後に、前記メインメニュー表示若しくは操作待ち受け状態に移行するようにする。【００４６】
Ｓ１１１においてスクロールキー１３０ｋ２への押下が確認されず、Ｓ１２１においてページ送りキー１３０ｋ５若しくはページ戻しキー１３０ｋ６への押下が確認された場合、電子書籍表示部１４０は、前記操作待ち受け状態で表示中の電子書籍類のページ画像の次のページのページ画像を表示する処理（Ｓ１２２：ページ送りキー１３０ｋ５が押下された場合）若しくは前記電子書籍類のページ画像の前のページのページ画像を表示する処理（Ｓ１２３：ページ戻しキー１３０ｋ６が押下された場合）を行った後に、操作待ち受け状態に移行する。【００４７】
また、本実施例の情報表示端末１００では、前記操作待ち受け状態において、スワイプ（ドラッグ）操作の際の指の移動量に応じて、ページ間スクロール処理若しくはページ内スクロール処理が可能であるものとする。前記ページ間スクロール処理は、本実施例においては、Ｓ１０４の処理で行った表示書式確認処理の結果に応じて、スクロール方向を変える。表示部１２１に表示中の電子書籍類の文章表示書式が縦書きであると判定された場合には、横方向のページ間スクロール処理のみを許容する。一方、Ｓ１０４において、前記電子書籍類の文章表示書式が横書きであると判定された場合には、縦方向のページ間スクロール処理のみを許容する。【００４８】
なお、前記ページ間スクロール処理とは、図６に示すように、表示部１２１に表示中の電子書籍類のページ画像をスクロールさせる場合に、スクロール処理を実行する前に表示されていたページ画像のページ（ページＮ）とは異なるページ（ページＮ＋１、等）のページ画像（の少なくとも一部）が、スクロール処理を実行した後に表示部１２１に表示されるようにスクロールさせる処理を示す。一方、スクロール処理を実行する前に表示されていたページ画像と同一のページのページ画像のみが、スクロール処理を実行した後でも表示部１２１に表示されるようにスクロールさせる前記ページ内スクロール処理は、Ｓ１０４の処理結果に拠らず、常に全方向に対して許容されていても良い。【００４９】
前記ページ間スクロール処理により、本実施例の情報表示端末１００においては、スワイプ操作で表示部１２１に表示中の電子書籍類のページ画像のスクロールを行った際、連続する複数のページのページ画像を表示部１２１に同時に表示することが可能となる。即ち、異なるページに記載された文章を、連続的に且つ同時に表示することが可能となるため、本実施例の情報表示端末１００を用いれば、ページの変わり目付近の文章であっても、その文章の前後を一括して視認することが可能となる。【００５０】
また、本実施例の情報表示端末１００では、電子書籍類の各ページのページ画像を表示部１２１に表示させる際に、図７に示すように、余白削除処理を行う。【００５１】
前記余白削除処理は、電子書籍類のページレイアウトで存在するページ周辺部の余白を削除する処理である。具体的には、まず、電子書籍表示部１４０が電子書籍類のページ単位の画像データを読み込み、次に、前記読み込んだ画像データから文字領域以外の余白領域を検出し、更に、前記検出した余白領域のうち、行間に位置する余白を除く周辺余白領域のみ削除を行う。なお、前記余白領域の検出処理は、Ｓ１０４の表示書式確認処理と同時に行っても良い。【００５２】
電子書籍類の各ページのページ画像を表示部１２１に表示させる際に前記余白削除処理を行うことにより、前述のページ間スクロール処理で連続する複数のページのページ画像を表示部１２１に同時に表示する際に、図８に電子書籍類の文章表示書式が縦書きである場合の例を示すように、ページの境目で行間に大きな隙間を生じさせることを防ぐことが可能となる。このため、情報表示端末１００の使用者は、ページの境目を意識することなく、電子書籍類を読み進めることができるようになる。更に、前記余白削除処理で周辺余白領域の削除を行う際に、ページ境目の行間の行間距離（隙間）がページ内における行間の行間距離と略同等の間隔となるようにすると、より好ましい表示状態となる。【００５３】
また、Ｓ１０４の処理結果に応じて、表示部１２１に表示中の電子書籍類の文章表示書式が縦書きであると判定された場合には、前記周辺余白領域のうち左辺及び右辺に位置する周辺余白領域のみを削除するようにしても良い。同様に、表示部１２１に表示中の電子書籍類の文章表示書式が横書きであると判定された場合には、前記周辺余白領域のうち上辺及び下辺に位置する周辺余白領域のみを削除するようにしても良い。【００５４】
なお、挿絵のみでレイアウトされたページ等、一部のページにおいては、前記余白削除処理における周辺余白領域の検出を正しく行うことができない可能性があるが、このような場合には、前後のページで検出した周辺余白領域の情報をそのまま用いるようにすれば良い。【００５５】
図４に示したフローチャートにおいて、Ｓ１１１の処理で、スクロールキー１３０ｋ２への短押しが確認された場合、スクロール制御部１５０が、先ず、自動スクロール処理実行時の速度に関する情報を初期化する（Ｓ１３１）。続いて、電子書籍表示部１４０が、スクロール制御部１５０の指示に基づいて画像表示処理部１２２を制御することにより、自動スクロール処理を開始する（Ｓ１３２）。また、前記自動スクロール処理実行中、電子書籍表示部１４０は、スクロールキー１３０ｋ２への押下の有無の確認（Ｓ１３３）、及び加速キー１３０ｋ３と減速キー１３０ｋ６への押下の有無の確認（Ｓ１３４）を行う。操作部１３０の他の構成（タッチパネル１３０ｔ等）への操作指示の入力の確認も行って良いが、ここでは説明を省略する。【００５６】
Ｓ１３３において、スクロールキー１３０ｋ２への押下が確認された場合、電子書籍表示部１４０はスクロール制御部１５０の指示に基づいて画像表示処理部１２２を制御することにより、自動スクロール処理を停止し（Ｓ１３５）、操作待ち受け状態に戻る。Ｓ１３３においてスクロールキー１３０ｋ２への押下が確認されず、Ｓ１３４において加速キー１３０ｋ３或いは減速キー１３０ｋ４への押下が確認された場合、スクロール制御部１５０は、自動スクロール処理実行時の速度に関する情報を更新する。具体的には、Ｓ１３４において、加速キー１３０ｋ３への押下が確認された場合には、自動スクロール実行時の速度を加速し（Ｓ１３６）、減速キー１３０ｋ４への押下が確認された場合には、自動スクロール実行時の速度を減速する（Ｓ１３７）。【００５７】
本実施例における前記自動スクロール処理では、情報表示端末１００の使用者によるスワイプ操作等に拠らずに、継続的にページ間スクロール処理を行う。また、図９に示すように、Ｓ１０４で行った表示書式確認処理の結果に応じて、表示部１２１に表示中の電子書籍類の文章表示書式が縦書きであると判定された場合には、表示部１２１内を文章等の画像情報が左から右に移動するようにスクロールを行う。一方、Ｓ１０４において、前記電子書籍類の文章表示書式が横書きであると判定された場合には、表示部１２１内を文章等の画像情報が下から上に移動するようにスクロールを行う。【００５８】
また、前記自動スクロール処理は、詳細には、画像信号処理部１２２を制御することにより、表示部１２１上に表示されている画像を、所定時間毎に所定移動量ずつ移動させて表示させる処理を継続的に繰り返すことにより為されるものである。この場合の前記所定移動量は、図１０に示すように、表示部１２１を構成する液晶パネル等の表示デバイスの画素間距離と同等若しくはその整数倍、或いは表示されている電子書籍類の文章の行間距離と同等若しくはその整数倍か整数分の一、とすることが望ましい。【００５９】
また、前記所定時間は、加速キー１３０ｋ３及び減速キー１３０ｋ４の押下が確認されない場合には常に一定の値とし、加速キー１３０ｋ３の押下が確認された場合には前記値を小さくなるように変更し、減速キー１３０ｋ４の押下が確認された場合には前記値を大きくなるように変更する。或いは、加速キー１３０ｋ３及び減速キー１３０ｋ４の押下が確認されない場合であっても、表示部１２１に表示されている範囲内における電子書籍類の文字の量に応じて、前記値を変化させるように制御しても良い。【００６０】
また、前記単位時間は常に一定とし、加速キー１３０ｋ３の押下が確認された場合には前記単位時間毎の移動量を増加させ、減速キー１３０ｋ４の押下が確認された場合には前記単位時間毎の移動量を減少させるようにしても良い。【００６１】
また、本実施例の情報表示端末１００においては、図４（Ａ）及び図４（Ｂ）に示したフローチャートの処理に拠らず、常に電源キー１３０ｋ１の監視を行い、電源キー１３０ｋ１の押下が確認された場合には割込み要求を発生するものとする。前記割込み要求が発生した場合、主制御部１０１は実行中の処理を中止して、前記割込み要求を発生させた電源キー１３０ｋ１の押下処理が長押しによるものか或いは短押しによるものかの確認を行う（Ｓ１４１）。Ｓ１４１において、前記電源キー１３０ｋ１の押下処理が長押しによるものである事が確認された場合、主制御部１０１は情報表示端末１００の終了処理を行い、更に情報表示端末１００の主電源をオフさせる（Ｓ１４２）。一方、Ｓ１４１において、前記電源キー１３０ｋ１の押下処理が短押しによるものである事が確認された場合、ＲＡＭ１０４上に記憶されている設定のストレージ部１１０への退避処理等を行った後に、情報表示端末１００をスリープモードに遷移させる（Ｓ１４３）。【００６２】
以上説明したように、図４のフローチャートに示した一連の処理を行うことにより、本実施例の情報表示端末１００は、スワイプ等の操作により表示部１２１に表示中の電子書籍類のページ画像のスクロールを行うことが可能である。また、スワイプ等の操作で表示部１２１に表示中の電子書籍類のページ画像のスクロールを行った際に、異なるページに記載された文章を、連続的に且つ同時に表示することが可能となるため、ページの変わり目付近の文章であっても、その文章の前後を一括して視認することが可能となる。更には、自動スクロール処理により、スワイプ等の操作を行うことなく、表示部１２１に表示中の電子書籍類を継続的に読み進めることが可能となる。即ち、本実施例の情報表示端末１００は、使用者に対してより好適な電子書籍類の表示を提供することが可能となる。
【実施例２】
【００６３】
以下では、本発明の実施例２に関して説明する。なお、本実施例における構成及び効果等は特に断りのない限り実施例１と同様であるものとする。このため、以下では、本実施例と実施例１との相違点を主に説明し、共通する点については重複を避けるため極力説明を省略する。【００６４】
前述の実施例１は、スクロール制御部１５０の指示に基づく自動スクロール処理実行時のスクロール速度の制御を、操作部１３０に入力された操作指示に応じて行う。即ち、実施例１の情報表示端末１００は、図１に示したブロック図の視線検知部１４５が無い構成であっても良い。一方、本実施例の情報表示端末１００は、スクロール制御部１５０の指示に基づく自動スクロール処理実行時のスクロール速度の制御を、図１１に示すように、視線検知部１４５（若しくは、視線検知実行部１０４ｃ、以下、同様）で検知した情報表示端末１００の使用者の視線の動きに応じて行うものである。なお、前記自動スクロール処理実行時のスクロール速度の制御は、前記所定時間及び／または前記所定移動量の制御により可能となることは言うまでもない。【００６５】
一般的に、文章表示書式が縦書きの書籍類を読む場合、読者の視線は各ページ内を図１２に矢印で示すように移動する。この際、前記読者の視線は上下動を繰り返しながら左右に振られる。即ち、前記読者は、前記書籍類の文章を一行分読み進めるために、視線の上下動を一往復分行うことになる。因みに、文章表示書式が横書きの書籍類の場合、前記読者は、前記書籍類の文章を一行分読み進めるために視線の左右動を一往復分行う。【００６６】
本実施例の情報表示端末１００では、視線検知部１４５が、画像入力部１２３で入力した情報表示端末１００の使用者の顔画像を解析することにより、前記使用者の視線の動き、特に、視線の上下動（文章表示書式が縦書きの電子書籍類の場合、以下、同様）の認識を行う。更に、スクロール制御部１５０が、視線検知部１４５が認識した前記使用者の視線の上下動の一往復分に要する時間と、表示部１２１に表示されている電子書籍類の文章の一行分の行間距離のスクロールに要する時間とが、所定期間内の平均値で略同等となるように、自動スクロール処理の際のスクロール速度の制御を行うようにする。【００６７】
前記制御を行うことにより、情報表示端末１００の使用者が表示部１２１に表示されている電子書籍類を読み進める速さと、自動スクロール処理により表示部１２１に表示されている電子書籍類のページ画像が自動的にスクロールする際の移動速度とが略一致するようになる。したがって、本実施例の情報表示端末１００の使用者は、操作部１３０に対してスクロール速度変更を目的とした操作指示の入力等を行うことなしに、表示部１２１に表示されている電子書籍類を継続して読み進めることが可能となる。【００６８】
なお、前述の制御を行うと、情報表示端末１００の使用者は、視線を表示部１２１上の略同一位置で上下に往復させるだけで、視線を左右方向に大きく振ることなく、表示部１２１に表示されている電子書籍類を継続して読み進めることができる。更に、図１３に示すように、情報表示端末１００の使用者の視線の動きが表示部１２１上の略中央部付近で維持されるように、自動スクロール処理の際のスクロール速度の制御を行うと、常に、注視する文章の前後が表示部１２１に表示されるようになり、より一層好ましい表示状態とすることができる。【００６９】
また、視線検知部１４５における視線検知処理により、情報表示端末１００の使用者の視線が、表示部１２１上から外れたと判断された場合や停止した場合等の例外的な動きをした場合には、前記自動スクロール処理を一時的に停止するように制御を行っても良い。なお、この場合、情報表示端末１００の使用者の視線が表示部１２１上に戻った場合には、前記自動スクロール処理を再開するようにしても良い。【００７０】
更には、図１４に示すように、情報表示端末１００の使用者が注視していると推測される部分、若しくは情報表示端末１００の使用者が注視すべき部分を、強調表示するようにしても良い。前記強調表示の方法としては、行単位若しくは語句単位等でのハイライト表示や拡大表示、太字表示等を行えば良い。このようにすれば、情報表示端末１００の使用者が表示部１２１上から視線を一旦はずした後で表示部１２１上に視線を戻す場合に、情報表示端末１００の使用者が視線を外す直前に表示部１２１に表示されている電子書籍類のどの部分を注視していたかを、すぐに判別することができるようになる。【００７１】
以上説明したように、本実施例の情報表示端末１００では、情報表示端末１００の使用者の顔画像の解析に基づく視線検知処理により、情報表示端末１００の使用者が電子書籍類を読み進める速さと自動スクロール処理の際の電子書籍類のページ画像のスクロール速度を、略一致させることが可能となる。即ち、本実施例の情報表示端末１００においても、使用者に対してより好適な電子書籍類の表示を提供することが可能となる。【００７２】
なお、本実施例では、主として、情報表示端末１００で表示する電子書籍類として、文章表示書式が縦書きの電子書籍類を表示する場合の例に関して記述したが、文章表示書式が横書きの電子書籍類を表示する場合も、前述の説明と同様の効果が得られることは言うまでもない。また、電子書籍に限らずとも、文字を主として構成される電子コンテンツ類を情報表示端末１００に表示する際には、やはり、前述の説明と同様の効果を享受可能である。【００７３】
また、本実施例の構成の情報表示端末１００において、スクロール制御部１５０の指示に基づく自動スクロール処理実行時のスクロール速度の制御を、視線検知部１４５で検知した情報表示端末１００の使用者の視線の動きと操作部１３０に入力された操作指示の双方に応じて行うようにしても良い。【００７４】
以上、本発明の実施形態の例を、実施例１及び実施例２を用いて説明したが、言うまでもなく、本発明の技術を実現する構成は前記実施例に限られるものではない。例えば、一方の実施例の構成と他方の実施例の構成とを組み合わせても良い。これらは全て本発明の範疇に属するものである。また、文中や図中に現れる数値やメッセージ等もあくまでも一例であり、異なるものを用いても本発明の効果を損なうことはない。【００７５】
また、前述した本発明の機能等は、それらの一部または全部を、例えば集積回路で設計する等によりハードウエア（電子書籍表示部１４０、視線検知部１４５、スクロール制御部１５０、等）で実現しても良い。また、マイクロプロセッサユニット等がそれぞれの機能等を実現するプログラム（電子書籍表示プログラム１０３ｂ／１１０ｂ、視線検知プログラム１０３ｃ／１１０ｃ、スクロール制御プログラム１０３ｄ／１１０ｄ、等）を解釈して実行することによりソフトウェアで実現しても良い。なお、前記プログラムは、予め情報表示端末１００のＲＯＭ１０３若しくはストレージ部１１０等に格納された状態であっても良いが、インターネット２０１上のアプリケーションサーバ２１１等からＬＡＮ通信部１６１若しくは移動体電話網通信部１６２を介して取得してストレージ部１１０に格納するものであっても良い。また、メモリカード等に格納された前記プログラムを、拡張インタフェース部１８０を介して取得しても良い。また、本発明の機能等を実現するプログラムは、図１（Ｂ)に示したように、複数のプログラム（１０３ｂ〜１０３ｄ若しくは１１０ｂ〜１１０ｄ）の組み合わせにより構成されていても良いし、前記複数のプログラムをパッケージ化した単一構成であっても良い。なお、本発明の機能等をソフトウェアで実現する場合、前記プログラムはＲＯＭ１０３とストレージ部１１０の何れか一方に格納されていれば良い。【００７６】
また、図中に示した制御線や情報線は説明上必要と考えられるものを示しており、必ずしも製品上の全ての制御線や情報線を示しているとは限らない。実際には殆ど全ての構成が相互に接続されていると考えても良い。
【符号の説明】
【００７７】
１００：情報表示端末、１０１：主制御部、１０２：システムバス、１０３：ＲＯＭ、１０４：ＲＡＭ、１１０：ストレージ部、１２０：画像処理部、１２１：表示部、１２２：画像信号処理部、１２３：画像入力部、１２５：音声処理部、１２６：音声出力部、１２７：音声信号処理部、１２８：音声入力部、１３０：操作部、１３０ｔ：タッチパネル、１３０ｋ１：電源キー、１３０ｋ２：スクロールキー、１３０ｋ３：加速キー、１３０ｋ４：減速キー、１３０ｋ５：ページ送りキー、１３０ｋ６：ページ戻しキー、１４０：電子書籍表示部、１４５：視線検知部、１５０：スクロール制御部、１６０：通信処理部、１６１：ＬＡＮ通信部、１６２：移動体電話網通信部、１６３：近接無線通信部、１７０：センサ部、１７１：ＧＰＳ受信部、１７２：加速度センサ、１７３：ジャイロセンサ、１７４：地磁気センサ、１７５：照度センサ、１７６：近接センサ、１８０：拡張インタフェース部、
２０１：インターネット、２０２：アクセスポイント、２０３：基地局、２１１：アプリケーションサーバ、２１２：電子書籍データサーバ、２１３：移動体電話通信サーバ
【図１（Ａ）】
2014203301.tif 000003
【図１（Ｂ）】
2014203301.tif 000004
【図２】
2014203301.tif 000005
【図３】
2014203301.tif 000006
【図４（Ａ）】
2014203301.tif 000007
【図４（Ｂ）】
2014203301.tif 000008
【図４（Ｃ）】
2014203301.tif 000009
【図５】
2014203301.tif 000010
【図６】
2014203301.tif 000011
【図７】
2014203301.tif 000012
【図８】
2014203301.tif 000013
【図９】
2014203301.tif 000014
【図１０】
2014203301.tif 000015
【図１１】
2014203301.tif 000016
【図１２】
2014203301.tif 000017
【図１３】
2014203301.tif 000018
【図１４】
2014203301.tif 000019
【手続補正書】
【提出日】平成28年9月21日(2016.9.21)
【手続補正１】
【補正対象書類名】特許請求の範囲
【補正対象項目名】全文
【補正方法】変更
【補正の内容】
【特許請求の範囲】
【請求項１】
電子書籍を表示可能な情報表示端末であって、
前記電子書籍のページ画像を表示する表示部と、
前記情報表示端末に対する操作指示を入力する操作部と、
前記電子書籍のページ画像の周辺余白領域を削除する周辺余白削除部と、
前記操作部に入力された操作指示に応じて、スクロール処理を実行する前に前記表示部に表示されていた前記電子書籍の第一のページ画像とは異なる第二のページ画像の一部を、前記スクロール処理を実行した後に前記表示部に表示するようにスクロール処理の制御をおこなうページ間スクロール処理部と、
を備え、
前記周辺余白削除部は、
前記ページ間スクロール処理部におけるスクロール処理の制御に基づいて前記第一のページ画像と前記第二のページ画像とを前記表示部に同時に表示する場合に、ページを跨る行間の行間距離がページを跨ない行間の行間距離と略同等となるように周辺余白領域の削除を行う
ことを特徴とする情報表示端末。
【請求項２】
前記操作部は、
前記表示部に重ねて配置されたタッチパネルであって、
前記ページ間スクロール処理部は、前記タッチパネルに対するスワイプ操作によって前記スクロール処理の制御を実行する
ことを特徴とする請求項1に記載の情報表示端末。
【請求項３】
前記情報表示端末は、
前記表示部に表示された電子書籍の文章表示書式が縦書きと、横書きと、の何れであるかを確認する表示書式確認部
を備え、
前記ページ間スクロール処理部は、前記表示書式確認部の確認結果に応じて、スクロール方向を変える
ことを特徴とする請求項１または請求項２に記載の情報表示端末。
【請求項４】
複数のページで構成される電子コンテンツを表示可能な情報表示端末であって、
前記電子コンテンツのページ画像を表示する表示部と、
前記情報表示端末に対する操作指示を入力する操作部と、
前記電子コンテンツのページ画像の周辺余白領域を削除する周辺余白削除部と、
前記操作部に入力された操作指示に応じて、前記表示部に表示されているページ画像に対して、所定時間ごとに所定移動量をスクロール処理する自動スクロール処理部と、
を備え、
前記周辺余白削除部は、
前記自動スクロール処理部におけるスクロール処理の制御に基づいて前記電子コンテンツの第一のページ画像と前記電子コンテンツの第一のページ画像とは異なる第二のページ画像とを前記表示部に同時に表示する場合に、ページを跨る行間の行間距離がページを跨ない行間の行間距離と略同等となるように周辺余白領域の削除を行う
ことを特徴とする情報表示端末。
【請求項５】
前記情報表示端末は、
前記表示部に表示された電子コンテンツの文章表示書式が縦書きと、横書きと、の何れであるかを確認する表示書式確認部を備え、
前記自動スクロール処理部は、
前記表示書式確認部の確認結果に応じて、スクロール方向を変える
ことを特徴とする請求項４に記載の情報表示端末。
【請求項６】
前記情報表示端末は、
前記情報表示端末の使用者の顔画像を入力する画像入力部と、
前記画像入力部が入力した前記情報表示端末の使用者の顔画像を解析することにより前記使用者の視線の動きを検知する視線検知部と、
を備え、
前記自動スクロール処理部は、
前記視線検知部で検知した前記情報表示端末の使用者の視線の動きに応じて、前記スクロール処理を行う際の前記所定時間及び／または前記所定移動量を制御する
ことを特徴とする請求項４または請求項５に記載の情報表示端末。
【請求項７】
前記自動スクロール処理部は、
前記視線検知部で検知した前記情報表示端末の使用者の視線の動きに応じて前記スクロール処理を行う際に、前記視線検知部で検知した前記情報表示端末の使用者の視線の上下動若しくは左右動の一往復分に要する時間と前記表示部に表示されている電子コンテンツにおける一行分の移動量のスクロールに要する時間とが略同等になるように、前記所定時間及び／または前記所定移動量を制御する
ことを特徴とする請求項６に記載の情報表示端末。
【請求項８】
前記自動スクロール処理部は、
前記視線検知部で検知した前記情報表示端末の使用者の視線の動きに応じて前記自動スクロール処理を実行中に、前記視線検知部が、前記情報表示端末の使用者の視線が前記表示部上から外れたと判断した場合には、前記自動スクロール処理を停止する
ことを特徴とする請求項６または請求項７に記載の情報表示端末。
【請求項９】
前記自動スクロール処理部は、
前記視線検知部における検知結果に応じて、前記情報表示端末の使用者が注視していると推測される部分の文字を強調表示する
ことを特徴とする請求項６乃至請求項８の何れか一項に記載の情報表示端末。
【国際調査報告】
2014203301.tif 000020
2014203301.tif 000021
2014203301.tif 000022
2014203301.tif 000023
2014203301.tif 000024
2014203301.tif 000025
2014203301.tif 000026
2014203301.tif 000027